(57)【特許請求の範囲】
【請求項１】
解像度が異なる２つの表示媒体を対象として、メイン画像データと該メイン画像データと重ね合わせて表示するためのサブ画像データとを合成した合成データを出力する画像データ出力制御装置であって、
前記メイン画像データを、前記２つの表示媒体の解像度毎に変換し、２つの解像度変換画像データを得る解像度変換データ取得手段と、
前記解像度変換データ取得手段により取得された２つの解像度変換画像データ、並びに単一のサブ画像データをそれぞれ記憶する記憶手段と、
前記２つの表示媒体の各々に前記合成データを出力する場合において、ユーザーが高解像度のサブ画像データを設定していた場合には、前記サブ画像データを、前記２つの表示媒体のうち高解像度の表示媒体に対応する解像度に変換して前記記憶手段に記憶させ、ユーザーが低解像度のサブ画像データを設定していた場合には、前記サブ画像データを、前記２つの表示媒体のうち低解像度の表示媒体に対応する解像度に変換して前記記憶手段に記憶させるサブ画像データ解像度変換手段と、
前記記憶手段に記憶され、かつ前記２つの表示媒体に対応する解像度変換画像データの各々と、前記サブ画像データ解像度変換手段により変換されたサブ画像データとを合成して合成データを各々生成する合成データ生成手段と、
を備えることを特徴とする画像データ出力制御装置。
【請求項２】
前記メイン画像データが撮像装置によって撮像された撮像データであり、前記サブ画像データが予め記憶されたＯＳＤ（Ｏｎ  Ｓｃｒｅｅｎ  Ｄｉｓｐｌａｙ）データであることを特徴とする請求項１記載の画像データ出力制御装置。
【請求項３】
前記２つの表示媒体のうち何れかの表示媒体に前記合成データを出力する場合には、前記記憶手段は前記何れかの表示媒体に対応した解像度変換画像データのみを記憶することを特徴とする請求項１又は請求項２記載の画像データ出力制御装置。
【請求項４】
前記サブ画像データの解像度は、前記解像度が異なる２つの表示媒体の解像度のうち、相対的に最も高い解像度に合わせて記憶されることを特徴とする請求項１乃至請求項３の何れか１項記載の画像データ出力制御装置。
【発明の詳細な説明】
【技術分野】
【０００１】
本発明は、高解像度又は低解像度のＯｎ  Ｓｃｒｅｅｎ  Ｄｉｓｐｌａｙ（ＯＳＤ：文字情報やサブ画像等を画面上にオーバーラップさせて表示する手法）出力を行なう画像データ出力制御装置に関する。
【背景技術】
【０００２】
近年、デジタルカメラの高画素数化が進んでいるが、デジタルカメラ本体に設けられた液晶ディスプレイ等の表示機能は、上記高画素数化に対応した十分な解像度を持たない。言い換えれば、液晶ディスプレイは、撮像した画像の確認を目的としており、高解像度を必要としない。
【０００３】
上記理由から、液晶ディスプレイ等の表示に際しては、画像のサイズをリサイズし、縮小されたサイズ、即ち、低解像度の画像を表示するようになっている。
【０００４】
一方、ＰＣ（パーソナルコンピュータ）に搭載、或いは付加されたモニタやＨＤＴＶ（ハイビジョン）等の外部表示機器に、デジタルカメラで撮像した画像データを出力して表示させる画像は、当該外部表示機器の使用に応じた高解像度である必要がある。この場合は、確認というよりは、プリントと同様、画像を見ることが目的であるからである。
【０００５】
このように、出力形態（外部表示機器等）に応じて、撮像した画像データの解像度を様々な解像度（サイズ）に変換する必要がある。
【０００６】
ここで、特許文献１には、高解像度の画像データを、当該画像データの解像度とは異なる解像度の液晶ディスプレイに出力したり、画像データを管理するための記録媒体に対してビデオ出力を行なう際の解像度変換についての技術の提案がなされている。
【０００７】
この特許文献１の技術は、デジタルカメラの撮像による撮像画像データ等のオリジナル画像データ、当該デジタルカメラの外部表示機器であるビデオ出力用にオリジナル画像データをリサイズした高解像度画像データ、高解像度ＯＳＤデータ、当該デジタルカメラに内蔵される液晶ディスプレイ出力用にオリジナル画像データをリサイズした低解像度画像データ、及び低解像度ＯＳＤデータの各々のデータで、デジタルカメラに内蔵されるメモリの各々のメモリ領域を使用し、高解像度画像データ、及び低解像度画像データの表示を行なっている。
【特許文献１】特開２０００−２８７０７６公報
【発明の開示】
【発明が解決しようとする課題】
【０００８】
しかしながら、前記特許文献１の技術では、前述した多種多様のデータを管理（記憶）する必要があり、多くのメモリ領域が必要となる。
【０００９】
特に、デジタルカメラにおいて、撮像した画像データに対してサブ画像（ＯＳＤデータ）を合成して表示することは一般に行なわれており、このようなＯＳＤデータにおいて、デジタルカメラに搭載した液晶ディスプレイ表示用の低解像度データと、外部出力（ビデオ出力）用の高解像度データをそれぞれ準備しておかなければならず、デジタルカメラ内の限られたメモリ容量の使用量が膨大となる。
【００１０】
本発明は、上記事実を考慮し、少ないメモリ領域で、高解像度画像データ、及び低解像度画像データ等の異なる解像度の画像表示を行なうことができる画像データ出力制御装置を得ることを目的とする。
【課題を解決するための手段】
【００１１】
本発明は、解像度が異なる２つの表示媒体を対象として、メイン画像データと該メイン画像データと重ね合わせて表示するためのサブ画像データとを合成した合成データを出力する画像データ出力制御装置であって、前記メイン画像データを、前記２つの表示媒体の解像度毎に変換し、２つの解像度変換画像データを得る解像度変換データ取得手段と、前記解像度変換データ取得手段により取得された２つの解像度変換画像データ、並びに単一のサブ画像データをそれぞれ記憶する記憶手段と、前記２つの表示媒体の各々に前記合成データを出力する場合において、ユーザーが高解像度のサブ画像データを設定していた場合には、前記サブ画像データを、前記２つの表示媒体のうち高解像度の表示媒体に対応する解像度に変換して前記記憶手段に記憶させ、ユーザーが低解像度のサブ画像データを設定していた場合には、前記サブ画像データを、前記２つの表示媒体のうち低解像度の表示媒体に対応する解像度に変換して前記記憶手段に記憶させるサブ画像データ解像度変換手段と、前記記憶手段に記憶され、かつ前記２つの表示媒体に対応する解像度変換画像データの各々と、前記サブ画像データ解像度変換手段により変換されたサブ画像データとを合成して合成データを各々生成する合成データ生成手段と、を備えることを特徴とする。
【００１２】
本発明によれば、解像度変換データ取得手段において、メイン画像データを２つ異なる解像度に変換し、２つの解像度変換画像データを取得する。記憶手段では、複数の解像度変換画像データ、並びに単一のサブ画像データを記憶する。
【００１３】
サブ画像データ解像度変換手段では、前記２つの表示媒体の各々に前記合成データを出力する場合において、ユーザーが高解像度のサブ画像データを設定していた場合には、前記サブ画像データを、前記２つの表示媒体のうち高解像度の表示媒体に対応する解像度に変換して前記記憶手段に記憶させ、ユーザーが低解像度のサブ画像データを設定していた場合には、前記サブ画像データを、前記２つの表示媒体のうち低解像度の表示媒体に対応する解像度に変換して前記記憶手段に記憶させる。
【００１４】
合成データ生成手段では、２つの表示媒体に対応する解像度変換画像データの各々を記憶手段から読出し、解像度変換されたサブ画像データを合成することで合成データを各々生成する。これにより、サブ画像データは、表示媒体よりも少なくて済み、メモリ容量を軽減することができる。
【００１５】
本発明においては、前記メイン画像データが撮像装置によって撮像された撮像データであり、前記サブ画像データが予め記憶されたＯＳＤ（Ｏｎ  Ｓｃｒｅｅｎ  Ｄｉｓｐｌａｙ）データであることを特徴とする。
【００１７】
ところで、例えばデジタルカメラ等では、撮像データがメイン画像データであり、サブ画像データとしては、ＯＳＤデータが該当する。従来であれば、デジタルカメラに搭載されたＬＣＤと外部出力等、解像度の異なる表示媒体に対応して、ＯＳＤデータは、当該表示媒体毎にデジタルカメラに内蔵されるメモリに記憶されていた。
【００１８】
これに対し、本発明では、サブ画像データを最低１種類のみ記憶しておけばよいため、メモリ容量の軽減につながる。
【００１９】
本発明においては、前記２つの表示媒体のうち何れかの表示媒体に前記合成データを出力する場合には、前記記憶手段は前記何れかの表示媒体に対応した解像度変換画像データのみを記憶することを特徴とする。
【００２１】
本発明においては、前記サブ画像データの解像度は、前記解像度が異なる表示媒体の解像度のうち、相対的に最も高い解像度に合わせて記憶されることを特徴とする。
【００２２】
このようにすることで、相対的に解像度の高い表示媒体にサブ画像データを表示させる場合も、高精緻な画像表示を行なうことができる。
【発明の効果】
【００２３】
以上説明したように本発明では、少ないメモリ領域で、高解像度画像データ、及び低解像度画像データ等の異なる解像度の画像表示を行なうことができる画像データ出力制御装置を得るという優れた効果を有する。
【発明を実施するための最良の形態】
【００２４】
以下、図面を参照して、本発明の実施の形態について詳細に説明する。
（第１の実施の形態）
まず、図１を参照して、本発明の画像データ出力制御装置としての機能を具備した第１の実施の形態に係るデジタルカメラ（以下、単に「カメラ」という）１０の外観上の構成を説明する。
【００２５】
カメラ１０の正面には、被写体像を結像させるためのレンズ２１と、撮像時に必要に応じて被写体に照射する光（撮像補助光）を発する発光部５８と、撮像する被写体の構図を決定するために用いられるファインダ１６と、が備えられている。また、カメラ１０の上面には、撮像を実行する際に押圧操作されるレリーズボタン（所謂シャッター）１８Ａと、電源スイッチ１８Ｂと、モード切替スイッチ１８Ｃと、が備えられている。
【００２６】
なお、第１の実施の形態に係るカメラ１０のレリーズボタン１８Ａは、中間位置まで押下される状態（以下、「半押し状態」という）と、当該中間位置を超えた最終押下位置まで押下される状態（以下、「全押し状態」という）と、の２段階の押圧操作が検出可能に構成されている。
【００２７】
そして、カメラ１０では、レリーズボタン１８Ａを半押し状態にすることによりＡＥ（Automatic Exposure、自動露出）機能が働いて露出状態（シャッタースピード、絞りの状態）が設定された後、オートフォーカス（ＡＦ）機能が働いて合焦制御され、その後、引き続き全押し状態にすると露光（撮像）が行われる。
【００２８】
また、モード切替スイッチ１８Ｃは、被写体に接近した状態で撮像するモードであるマクロ撮像モード、静止画像の撮像を行うモードである静止画撮像モード、動画像の撮像を行うモードである動画撮像モード、及び被写体像を後述する液晶ディスプレイ４６に再生するモードである再生モードの何れかのモードに設定する際に回転操作される。
【００２９】
一方、カメラ１０の背面には、前述のファインダ１６の接眼部と、撮像された被写体像やメニュー画面等を表示するための液晶ディスプレイ（以下、「ＬＣＤ」という）４６と、十字カーソルボタン１８Ｄと、が備えられている。なお、十字カーソルボタン１８Ｄは、ＬＣＤ４６の表示領域における上・下・左・右の４方向の移動方向を示す４つの矢印ボタンを含んで構成されている。
【００３０】
なお、このＬＣＤ４６は、本発明の表示媒体の１つである。
【００３１】
さらに、カメラ１０の背面には、ＬＣＤ４６にメニュー画面を表示させるときに押圧操作されるメニューボタンと、それまでの操作内容を確定するときに押圧操作される決定ボタンと、直前の操作内容をキャンセルするときに押圧操作されるキャンセルボタンと、発光部５８の発光状態を設定するときに押圧操作される発光ボタンと、が備えられている。
【００３２】
次に、図２を参照して、第１の実施の形態に係るカメラ１０の電気系の要部構成を説明する。
【００３３】
カメラ１０は、前述のレンズ２１を含んで構成された光学ユニット２２と、レンズ２１の光軸後方に配設された電荷結合素子（以下、「ＣＣＤ」という）２４と、入力されたアナログ信号に対して各種のアナログ信号処理を行うアナログ信号処理部２６と、を含んで構成されている。
【００３４】
また、カメラ１０は、入力されたアナログ信号をデジタルデータに変換するアナログ／デジタル変換器（以下、「ＡＤＣ」という）２８と、入力されたデジタルデータに対して各種のデジタル信号処理を行うデジタル信号処理部３０と、を含んで構成されている。
【００３５】
なお、デジタル信号処理部３０は、所定容量のラインバッファを内蔵し、入力されたデジタルデータを後述するメモリ４０の所定領域に直接記憶させる制御も行う。
【００３６】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３７】
さらに、画像データをＬＣＤ４６での表示に適するように解像度等の調整（以下、リサイズという）を行うＬＣＤリサイズ回路３６Ａ、及びデジタルカメラ１０に接続する外部機器の外部ビデオ７０での表示に適するようにリサイズを行う外部ビデオリサイズ回路３６Ｂを含むリサイズ回路３６を備えている。
【００３８】
一方、カメラ１０は、被写体像やメニュー画面等をＬＣＤ４６に表示させるための信号を生成してＬＣＤ４６に供給するＬＣＤインタフェース４４と、被写体像を外部ビデオ７０に表示させるための信号を生成して外部ビデオ７０に供給するビデオインタフェース４８と、カメラ１０全体の動作を司るＣＰＵ（中央処理装置）５０と、撮像により得られたデジタル画像データ等を記憶するメモリ４０と、メモリ４０に対するアクセスの制御を行うメモリインタフェース３８と、を含んで構成されている。
【００３９】
前記メモリ４０は、ＬＣＤリサイズ回路３６Ａによりリサイズされた画像データを記憶するＬＣＤメモリ４０Ａ、外部ビデオリサイズ回路３６Ｂによりリサイズされた画像データを記憶する外部ビデオメモリ４０Ｂ、及びＯＳＤデータを記憶するＯＳＤメモリ４０Ｃを含んで構成されている。
【００４０】
また、カメラ１０は、ＯＳＤメモリ４０Ｃに記憶される単一の解像度のＯＳＤデータを備えており、この単一の解像度のＯＳＤデータは、ＬＣＤ４６又は外部ビデオ７０での表示に適するようにＯＳＤリサイズ回路３７によってリサイズされるようになっている。
【００４１】
さらに、カメラ１０は、ＬＣＤメモリ４０Ａに記憶されるＬＣＤ４６での表示に適するようにリサイズされた画像データと、ＯＳＤリサイズ回路３７により、ＬＣＤ４６での表示に適するようにリサイズされたＯＳＤデータとを合成するＬＣＤデータ合成回路４２Ａ、及びＬＣＤメモリ４０Ａに記憶されるＬＣＤ４６での表示に適するようにリサイズされた画像データと、ＯＳＤリサイズ回路３７により、外部ビデオ７０での表示に適するようにリサイズされた外部ビデオデータとを合成する外部ビデオデータ合成回路４２Ｂを含む合成回路４２を備えている。
【００４２】
この外部ビデオ７０は、前記ＬＣＤ４６と共に、本発明の表示媒体に属する。
【００４３】
また、カメラ１０は、可搬型のメモリカード５４をカメラ１０でアクセス可能とするための外部メモリインタフェース５２と、デジタル画像データに対する圧縮処理及び伸張処理を行う圧縮・伸張処理回路５６と、を含んで構成されている。
【００４４】
なお、第１の実施の形態のカメラ１０では、メモリ４０としてＤＲＡＭが用いられ、メモリカード５４としてスマートメディア（Smart Media（登録商標））が用いられている。
【００４５】
デジタル信号処理部３０、リサイズ回路３６、ＯＳＤリサイズ回路３７、メモリインタフェース３８、合成回路４２、ＬＣＤインタフェース４４、ＣＰＵ５０、外部メモリインタフェース５２及び圧縮・伸張処理回路５６はシステムバスＢＵＳを介して相互に接続されている。従って、ＣＰＵ５０は、デジタル信号処理部３０、リサイズ回路３６、ＯＳＤリサイズ回路３７、合成回路４２、及び圧縮・伸張処理回路５６の作動の制御、ＬＣＤ４６に対するＬＣＤインタフェース３８を介した各種情報の表示、外部ビデオ７０に対するビデオインタフェース４８を介した各種情報の表示、メモリ４０及びメモリカード５４へのメモリインタフェース３８ないし外部メモリインタフェース５２を介したアクセスを各々行うことができる。
【００４６】
一方、カメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ５０によりタイミングジェネレータ３２を介して制御される。
【００４７】
さらに、カメラ１０にはモータ駆動部３４が備えられており、光学ユニット２２に備えられた焦点調整モータ、ズームモータ及び絞り駆動モータ（各々図示省略）の駆動もＣＰＵ５０によりモータ駆動部３４を介して制御される。
【００４８】
第１の実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ５０の制御によりモータ駆動部３４から供給された駆動信号によって駆動される。
【００４９】
さらに、前述のレリーズボタン１８Ａ、電源スイッチ１８Ｂ、モード切替スイッチ１８Ｃ、十字カーソルボタン１８Ｄ、メニューボタン等の各種ボタン、スイッチ類（以下、「操作部１８」と総称する場合がある）はＣＰＵ４０に接続されており、ＣＰＵ４０は、これらの操作部１８に対する操作状態を常時把握できる。また、前述した発光部５８もＣＰＵ４０に接続されており、発光部５８による撮像補助光の発光もＣＰＵ４０によって制御される。
【００５０】
なお、第１の実施の形態では外部機器として外部ビデオ７０を用い説明をしたが、外部機器は外部ビデオ７０に限られるものではなく、ＰＣモニタ、ＨＤＴＶ等であってもよい。即ち、本発明の表示媒体は、ＬＣＤ４６を筆頭に複数存在することになる。即ち。ＬＣＤ４６以外はビデオＩ／Ｆ４８から出力される画像データがそれぞれの表示媒体に合わせて解像度変換がなされることになる。
【００５１】
次に、図３を用いて、第１の実施の形態の機能的なつながり、及びデータの流れを説明する。
【００５２】
ここで、各々のつながりはＢＵＳを介して行なわれているが、以下省略して説明を行なう。
【００５３】
デジタル信号処理部３０は、ＬＣＤリサイズ回路３６Ａ及び外部ビデオリサイズ回路３６Ｂと接続されている。撮像されたオリジナル画像データは、デジタル信号処理部３０からＬＣＤリサイズ回路３６Ａ及び外部ビデオリサイズ回路３６Ｂに出力されるようになっている。
【００５４】
ＬＣＤリサイズ回路３６Ａは、ＬＣＤメモリ４０Ａと接続している。オリジナル画像データをＬＣＤ４６での表示に適するようにリサイズされたＬＣＤ画像データは、ＬＣＤメモリ４０Ａに出力されるようになっている。
【００５５】
一方、外部ビデオリサイズ回路３６Ｂは、外部ビデオメモリ４０Ｂと接続している。オリジナル画像データを外部ビデオ７０での表示に適するようにリサイズされた外部ビデオ画像データは、外部ビデオメモリ４０Ｂに出力されるようになっている。
【００５６】
また、前述したようにＯＳＤメモリ４０Ｃは、ＯＳＤリサイズ回路３７と接続している。ＯＳＤデータは、ＯＳＤリサイズ回路３７に出力されるようになっている。
【００５７】
第1の実施の形態では、出力が２系統（ＬＣＤ４６、外部ビデオ７０）であるのに対し、ＯＳＤデータは外部ビデオ７０の解像度に合わせた単一のものとなっている。この結果、ＯＳＤメモリ４０Ｃのメモリ容量を軽減している。
【００５８】
以下に、このメモリ容量軽減について説明する。
【００５９】
ユーザが高解像度のＯＳＤデータを設定している場合は、図４（Ａ）のメモリマップＡ４０ＣＡに示すように、内部ＬＣＤ表示用ＯＳＤデータ４Ａの領域は、メモリ４０内に割り当てる必要がなくなる。一方、ユーザが低解像度のＯＳＤデータを設定している場合は、図４（Ｂ）のメモリマップＢ４０ＣＢに示すように、外部ビデオ表示用ＯＳＤデータ４Ｂの領域は、メモリ４０内に割り当てる必要がなくなる。
【００６０】
従来のデジタルカメラは、ＯＳＤリサイズ回路３７を備えていなかった。このため、内部ＬＣＤ表示用ＯＳＤデータ、外部ビデオ表示用ＯＳＤデータの両方をメモリ内に割り当てておく必要があった。
【００６１】
さらに、前記ＬＣＤメモリ４０Ａ及びＯＳＤリサイズ回路３７はＬＣＤデータ合成回路４２Ａと接続している。また、ＬＣＤデータ合成回路４２Ａは、ＬＣＤＩ／Ｆ４４と接続している。こうして、ＬＣＤデータ合成回路４２Ａにより、ＬＣＤ画像データと、ＬＣＤ４６での表示に適するようにリサイズされたＯＳＤデータとを合成したＬＣＤ合成データは、ＬＣＤ４６に表示されるようになっている。
【００６２】
一方、前記外部ビデオメモリ４０Ｂ及びＯＳＤリサイズ回路３７は外部ビデオデータ合成回路４２Ｂと接続している。また、外部ビデオデータ合成回路４２Ｂは、ビデオＩ／Ｆ４８と接続している。こうして、外部ビデオデータ合成回路４２Ｂにより、外部ビデオ画像データと、外部ビデオ７０での表示に適するようにリサイズされたＯＳＤデータとを合成した外部ビデオ合成データは、外部ビデオ７０に出力されるようになっている。
【００６３】
なお、ＬＣＤデータ合成回路４２Ａにより合成されたＬＣＤ合成データの、ＬＣＤ４６での表示、及び外部ビデオデータ合成回路４２Ｂにより合成された外部ビデオ合成データの、外部ビデオ７０での表示は、図２に示されるＣＰＵ５０により制御されている。
【００６４】
次に、第１の実施の形態に係るデジタルカメラ１０の動作を説明する。
【００６５】
まず、ＣＣＤ２４は、光学ユニット２２を介した撮像を行い、被写体像を示すＲ、Ｇ、Ｂ毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００６６】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４０の所定領域に直接格納する。
【００６７】
メモリ４０の所定領域に格納されたデジタル画像データは、ＣＰＵ５０による制御に応じてデジタル信号処理部３０により読み出され、所定の物理量に応じたデジタルゲインをかけることでホワイトバランス調整を行うと共に、ガンマ処理、シャープネス処理、及び感度調整を行って８ビットのデジタル画像データを生成する。
【００６８】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４０の上記所定領域とは異なる領域に格納する。
【００６９】
なお、ＬＣＤ４６は、ＣＣＤ２４による連続的な撮像によって得られた動画像（スルー画像）を表示してファインダとして使用することができるものとして構成されており、ＬＣＤ４６をファインダとして使用する場合には、生成したＹＣ信号を、ＬＣＤインタフェース４４を介して順次ＬＣＤ４６に出力する。これによってＬＣＤ４６にスルー画像が表示されることになる。
【００７０】
ここで、静止画撮像モードが設定されている場合、レリーズボタン１８Ａがユーザによって半押し状態とされたタイミングで前述のようにＡＥ機能が働いて露出状態が設定された後、ＡＦ機能が働いて合焦制御され、その後、引き続き全押し状態とされたタイミングで、必要に応じて発光部５８から撮像補助光が射出されると共に、その時点でメモリ４０に格納されているＹＣ信号を、圧縮・伸張処理回路５６によって所定の圧縮形式（本実施の形態では、ＪＰＥＧ形式）で圧縮した後に外部メモリインタフェース５２を介してメモリカード５４に電子化ファイルとして記録する。
【００７１】
一方、動画撮像モードが設定されている場合には、レリーズボタン１８Ａが全押し状態とされたタイミングで、必要に応じて発光部５８から撮像補助光が射出されると共に、その時点からメモリ４０に格納されるＹＣ信号を、所定期間毎に時系列で圧縮・伸張処理回路５６により所定の圧縮形式（本実施の形態では、Ｍｏｔｉｏｎ  ＪＰＥＧ形式）で圧縮した後に外部メモリインタフェース５２を介してメモリカード５４に順次記録していき、再度レリーズボタン１８Ａが全押し状態とされたタイミングで、当該記録動作を終了する。この動作により、動画像を示す動画像データが電子化ファイルとしてメモリカード５４に記録されることになる。
【００７２】
ところで、第１実施の形態のデジタルカメラ１０は、ＯＳＤデータのリサイズ機能を備えている。当該機能に関する部分の作用を図５のフローチャートに従い詳細に説明する。
【００７３】
第１の実施の形態では、図５（Ａ）のステップ１００に示されるように、画像データは、ＬＣＤ４６及び外部ビデオ７０への同時出力処理がなされる。
【００７４】
同時出力処理では、図５（Ｂ）に示されるように、まずステップ１１０で、ＯＳＤメモリ４０Ｃに記憶されるＯＳＤデータは高解像度か否かが判断される。肯定された場合はステップ１１２へ、否定された場合はステップ１１４へ移行する。ステップ１１２では、メモリ４０は、前述の図４（Ａ）に示されたメモリマップＡ４０ＣＡに示すように割り当てられ、リサイズ回路３６及びＯＳＤリサイズ回路３７によるリサイズ、及び合成回路４２による合成を経て、ＬＣＤ４６及び外部ビデオ７０への表示が行なわれる。一方、ステップ１１４では、メモリ４０は、前述の図４（Ｂ）に示されたメモリマップＢ４０ＣＢに示すように割り当てられ、リサイズ回路３６及びＯＳＤリサイズ回路３７によるリサイズ、及び合成回路４２による合成を経て、ＬＣＤ４６及び外部ビデオ７０への表示が行なわれる。
【００７５】
このように、第１の実施の形態では、ＯＳＤリサイズ回路３７を備えることで、メモリ内にリサイズ後のＯＳＤデータ用の領域を割り当ている必要がなくなり、メモリ使用量の低減が実現可能となっている。
（第２の実施の形態）
以下に、本発明の第２の実施の形態について説明する。なお、この第２の実施の形態において、前記第１の実施の形態と同一構成部分については、同一の符号を付して、その構成の説明を省略する。
【００７６】
第２の実施の形態の特徴は、外部ビデオ７０出力がＬＣＤ４６出力が行なわれるのと同時に行なわれない場合が想定されており、この場合、メモリ４０に、デジタルカメラ１０に外部ビデオ７０の表示用の外部ビデオメモリ４０Ｂの割り当てが不要となる点にある。
【００７７】
なお、一般的に、ＬＣＤ４６への出力と外部ビデオ７０への出力とを同時に行なう場合には、オリジナル画像データの、ＬＣＤリサイズ回路３６ＡによるＬＣＤ４６出力用へのリサイズ、外部ビデオリサイズ回路３６Ｂによる外部ビデオ７０出力用へのリサイズを同時にすることはできない。つまり、ＬＣＤ４６と外部ビデオ７０とへの同時出力を行なう場合には、ＬＣＤメモリ４０Ａと外部ビデオメモリ４０Ｂとの両方のメモリ領域を使用する必要がある。
【００７８】
従って、外部ビデオ７０出力がＬＣＤ４６出力が行なわれるのと同時に行なわれない場合は、図６に示すように、メモリ４０は、ＬＣＤメモリ４０Ａのみの領域を使用し、外部ビデオメモリ４０Ｂは不要となる。
【００７９】
また、図７に示すように、外部ビデオ７０への出力を行なわない場合は、デジタル信号処理部３０は、ＬＣＤリサイズ回路３６Ａとのみ接続され、撮像されたオリジナル画像データは、デジタル信号処理部３０からＬＣＤリサイズ回路３６Ａにのみ出力されるようになる。
【００８０】
ＬＣＤリサイズ回路３６Ａは、ＬＣＤメモリ４０Ａと接続している。オリジナル画像データをＬＣＤ４６での表示に適するようにリサイズされたＬＣＤ画像データは、ＬＣＤメモリ４０Ａに出力されるようになっている。
【００８１】
ところで、外部ビデオ７０出力がＬＣＤ４６出力が行なわれるのと同時に行なわれない場合は、図８のメモリマップＣ４０ＣＣに示すように、外部ビデオ表示用画像８Ａ及び外部ビデオ表示用ＯＳＤデータ８Ｂの領域は、メモリ４０内で割り当てる必要がなくなる。
【００８２】
従来は、外部ビデオ７０への表示を、ＬＣＤ４６への表示と同時に行なう場合は、外部ビデオ表示用画像８Ａ及び外部ビデオ表示用ＯＳＤデータ８Ｂをメモリ内に割り当てる必要があった。
【００８３】
さらに、前記ＬＣＤメモリ４０Ａ及びＯＳＤリサイズ回路３７はＬＣＤデータ合成回路４２Ａと接続している。また、ＬＣＤデータ合成回路４２Ａは、ＬＣＤＩ／Ｆ４４と接続している。こうして、ＬＣＤデータ合成回路４２Ａにより、ＬＣＤ画像データと、ＬＣＤ４６での表示に適するようにリサイズされたＯＳＤデータとを合成したＬＣＤ合成データは、ＬＣＤ４６に表示されるようになっている。
【００８４】
なお、ＬＣＤデータ合成回路４２Ａにより合成されたＬＣＤ合成データの、ＬＣＤ４６での表示は、図７に示されるＣＰＵ５０により制御されている。
【００８５】
次に、第２の実施の形態に係るデジタルカメラ１０の動作を説明する。
【００８６】
まず、ステップ１２０では、内蔵するＬＣＤ４６以外の外部機器での表示が行なわれるか否か、即ち、外部ビデオ７０での表示が行なわれるか否かが判断される。肯定された場合はステップ１２２へ、否定された場合はステップ１２４へ移行する。
【００８７】
ステップ１２２では、前述の図５（Ｂ）で示されたように、ＬＣＤ４６及び外部ビデオ７０への、画像データの同時出力処理が行なわれる。
【００８８】
ステップ１２４では、メモリ４０は、前述の図８で示されたメモリマップＣ４０ＣＣに示すように割り当てられ、ＬＣＤリサイズ回路３６Ａ及びＯＳＤリサイズ回路３７によるリサイズ、及びＬＣＤデータ合成回路４２Ａによる合成を経て、ＬＣＤ４６への表示が行なわれる。
【００８９】
このように、第２の実施の形態では、外部ビデオ７０での表示を行なう必要がない場合には、メモリ４０は、前述の図８で示されたメモリマップＣ４０ＣＣに示されるような最小の構成が可能となる。
【００９０】
また、デジタルカメラ１０に内蔵されるＬＣＤ４６での表示と、外部表示装置での表示とを同時に行なうことを禁止する構成の場合も、前述の図８で示されたメモリマップＣ４０ＣＣに示されるようなメモリマップが構成され、コストの低減が可能となる。
【図面の簡単な説明】
【００９１】
【図１】第１の実施の形態に係るデジタルカメラの外観を示す外観図である。
【図２】第１の実施の形態に係るデジタルカメラの電気系の要部構成を示すブロック図である。
【図３】第１の実施の形態に係る表示機能のつながりを示すブロック図である。
【図４】（Ａ）は高解像度のＯＳＤデータを設定している場合のメモリマップで、（Ｂ）は低解像度のＯＳＤデータを設定している場合のメモリマップである。
【図５】第１の実施の形態に係る外部ビデオ出力とＬＣＤ出力とを同時に行なう場合のフローチャートである。
【図６】第２の実施の形態に係るデジタルカメラの電気系の要部構成を示すブロック図である。
【図７】第２の実施の形態に係るデジタルカメラの表示機能のつながりを示すブロック図である。
【図８】外部ビデオ出力とＬＣＤ出力とを同時に行なわない場合のメモリマップである。
【図９】第２の実施の形態に係るＯＳＤデータのリサイズの流れを示すフローチャートである。
【符号の説明】
【００９２】
１０   デジタルカメラ
３０   デジタル信号処理部
３６   リサイズ回路（画像データ解像度変換手段）
３６Ａ ＬＣＤリサイズ回路
３６Ｂ 外部ビデオリサイズ回路
３７   ＯＳＤリサイズ回路（サブ画像データ解像度変換手段）
４０   メモリ
４０Ａ ＬＣＤメモリ（解像度変換画像データ記憶手段）
４０Ｂ 外部ビデオメモリ（解像度変換画像データ記憶手段）
４０Ｃ ＯＳＤメモリ（サブ画像データ記憶手段）
４２   合成回路（合成手段）
４２Ａ ＬＣＤデータ合成回路
４２Ｂ 外部ビデオデータ合成回路
４６   液晶ディスプレイ（表示媒体）
５０   ＣＰＵ（画像データ出力制御装置）
７０   外部ビデオ（表示媒体）
【図１】
0004652210.tif 000002
【図２】
0004652210.tif 000003
【図３】
0004652210.tif 000004
【図４】
0004652210.tif 000005
【図５】
0004652210.tif 000006
【図６】
0004652210.tif 000007
【図７】
0004652210.tif 000008
【図８】
0004652210.tif 000009
【図９】
0004652210.tif 000010